(57)【要約】【課題】組立ての利便性と効率を増進し、修理コストを抑制できる組立式パレットの提供。【解決手段】本発明の組立式パレットは、パレットフレーム、複数の第１ベース座体、複数の第２ベース座体、前記パレットフレーム上に固定されるデッキボード部を含む。前記パレットフレームは、複数の縦棒と複数の横棒とを含み、前記複数の縦棒と前記複数の横棒とがそれぞれ階段状位置決め部を備える。複数の第１ベース座体は、縦棒と横棒の前記階段状位置決め部の位置が合うようにガイドする複数の第１階段状結合部を含む。複数の第２ベース座体は、縦棒と横棒の前記階段状位置決め部の位置が合うようにガイドする複数の第２階段状結合部を含む。階段状構造の設計を組立てのポカよけ設計とすることで、組立て時に歪んだり突出したりすることがなく、組立ての利便性と組立て効率を増進する。【選択図】図１
2017057010.tif 000002
【特許請求の範囲】
【請求項１】
組立式パレットであって、パレットフレームと、前記パレットフレームの隅角箇所に位置する複数の第１ベース座体と、２つの前記第１ベース座体の間にそれぞれ位置する複数の第２ベース座体と、デッキボード部とを含み、
前記パレットフレームは、複数の縦棒と複数の横棒を含み、前記複数の縦棒と前記複数の横棒とは、それぞれ階段状位置決め部を備え、
各前記複数の第１ベース座体は、第１ベース座体本体と、複数の第１階段状結合部を含み、
前記第１ベース座体本体は、第１上面、第１底面及び複数の第１側面を含み、前記複数の第１側面は、前記第１上面と前記第１底面とに連接され、
前記複数の第１階段状結合部は、前記第１ベース座体本体の前記第１上面と２つの前記第１側面との間に位置し、前記複数の第１階段状結合部は、相互に連接され、かつ１つの前記縦棒の前記階段状位置決め部と１つの前記横棒の前記階段状位置決め部との位置が合うようにガイドし、前記縦棒と前記横棒とを前記第１ベース座体本体上に結合させ、
各前記第２ベース座体は、第２ベース座体本体と、第２階段状結合部とを含み、
前記第２ベース座体本体は、第２上面、第２底面及び複数の第２側面を含み、前記複数の第２側面は、前記第２上面と前記第２底面とに連接され、
前記第２階段状結合部は、前記第２ベース座体本体の前記第２上面と１つの前記第２側面との間に位置し、前記第２階段状結合部は、１つの前記縦棒の前記階段状位置決め部または１つの前記横棒の前記階段状位置決め部の位置が合うようにガイドして、前記縦棒または前記横棒を前記第２ベース座体本体上に結合させ、
前記デッキボード部は、前記パレットフレーム上に固定され、かつ前記パレットフレームと、前記複数の第１ベース座体の前記複数の第１上面と、前記複数の第２ベース座体の前記複数の第２上面とに密着されることを特徴とする、組立式パレット。
【請求項２】
前記複数の第１階段状結合部と前記複数の第２階段状結合部との階段数は、前記階段状位置決め部の階段数より多いことを特徴とする、請求項１に記載の組立式パレット。
【請求項３】
前記パレットフレームは、さらに複数の底部支持棒を含み、
各前記第１ベース座体は、さらに前記第１底面に位置する第１位置決め溝を含み、
各前記第２ベース座体は、さらに前記第２底面に位置する第２位置決め溝を含み、
一部の数量の前記複数の底部支持棒は、２つの前記第１位置決め溝に嵌合されて、２つの前記第１ベース座体を位置決めし、
別の一部の数量の前記複数の底部支持棒は、２つの前記第２位置決め溝に嵌合されて、２つの前記第２ベース座体を位置決めすることを特徴とする、請求項１または２に記載の組立式パレット。
【請求項４】
前記パレットフレームは、さらに複数の連結棒を含み、
前記複数の連結棒は、１つの前記縦棒と１つの前記底部支持棒とにそれぞれ連結されるか、または１つの前記横棒と１つの前記底部支持棒とにそれぞれ連結されることを特徴とする、請求項３に記載の組立式パレット。
【請求項５】
各前記第１ベース座体は、さらに１つの前記第１側面に位置する第１連結溝を含み、
前記第１連結溝は、１つの前記第１階段状結合部と前記第１位置決め溝とに連結され、
各前記第２ベース座体は、さらに１つの前記第２側面に位置する第２連結溝を含み、
前記第２連結溝は、前記第２階段状結合部と前記第２位置決め溝とに連結され、
前記複数の連結棒は、前記複数の第１位置決め溝と前記複数の第２位置決め溝とに嵌合されることを特徴とする、請求項４に記載の組立式パレット。
【請求項６】
前記パレットフレームはさらに、前記複数の縦棒または前記複数の横棒に連結された複数の強化棒を含むことを特徴とする、請求項１ないし５のいずれかに記載の組立式パレット。
【請求項７】
１つの前記強化棒は、前記複数の縦棒に連結され、隣接する前記強化棒は、前記複数の横棒に連結されることを特徴とする、請求項６に記載の組立式パレット。
【請求項８】
前記縦棒の前記階段状位置決め部の一端が延伸されて凸部が形成され、前記横棒の前記階段状位置決め部に嵌入されて前記縦棒と前記横棒とが結合されることを特徴とする、請求項１ないし７のいずれかに記載の組立式パレット。
【請求項９】
前記横棒の前記階段状位置決め部の一端が延伸されて凸部が形成され、前記縦棒の前記階段状位置決め部に嵌入されて前記縦棒と前記横棒とが結合されることを特徴とする、請求項１ないし８のいずれかに記載の組立式パレット。
【請求項１０】
前記パレットフレームは、さらに斜め棒及び中央座体を含み、
前記中央座体は、さらに中央対角方向溝部を含み、
前記第１ベース座体は、さらに対角方向結合部を含み、
前記斜め棒の両端は、前記中央対角方向溝部と前記対角方向結合部とにそれぞれ挿入され、前記中央座体と前記第１ベース座体とが位置決めされることを特徴とする、請求項１ないし９のいずれかに記載の組立式パレット。
【請求項１１】
前記中央対角方向溝部は、中央外部拡張部、中央連結部、中央内部拡張部を含み、
前記中央連結部は、前記中央外部拡張部と前記中央内部拡張部とに連結され、かつ前記中央連結部の幅は、前記中央外部拡張部と前記中央内部拡張部の幅より小さいことを特徴とする、請求項１０に記載の組立式パレット。
【請求項１２】
前記対角方向結合部は、結合部外部拡張部、結合部連結部、結合部内部拡張部を含み、
前記結合部連結部は、前記結合部外部拡張部と前記結合部内部拡張部に連結され、
前記結合部連結部の幅は、前記結合部外部拡張部と前記結合部内部拡張部の幅より小さいことを特徴とする、請求項１０または１１に記載の組立式パレット。
【請求項１３】
前記中央座体、前記複数の第１ベース座体、前記複数の第２ベース座体は、さらに複数の位置決め挿入孔を含み、
前記複数の位置決め挿入孔は、前記中央対角方向溝部、前記複数の第１階段状結合部、前記複数の第２階段状結合部内にそれぞれ位置し、
前記複数の縦棒と前記複数の横棒とは、両端にそれぞれ突出構造を呈する複数の位置決め部を備え、
前記複数の位置決め部は、前記複数の位置決め挿入孔内にそれぞれ挿入され、
前記パレットフレームは、前記複数の第１ベース座体、前記複数の第２ベース座体及び前記中央座体上に固定されることを特徴とする、請求項１０ないし１２のいずれかに記載の組立式パレット。
【請求項１４】
前記中央座体、前記複数の第１ベース座体、前記複数の第２ベース座体の側面に保護ストリップが延伸されて設けられたことを特徴とする、請求項１０ないし１３のいずれかに記載の組立式パレット。
【発明の詳細な説明】
【技術分野】
【０００１】
本発明はパレットに関し、特に、組立式パレットに関する。
【背景技術】
【０００２】
貨物の輸送または管理において、パレットは、非常によく見受けられる補助具であり、貨物をその上に置き、機器（フォークリフトなど）を利用して貨物を運ぶために用いられ、便利で迅速であるという利点のほか、貨物が運搬または保管の過程で破損したり、湿気を受けたりしないようにすることもできる。
【０００３】
しかしながら、現在市場で見受けられるプラスチック製パレットは、ほとんどが一体成型で成り、異なるサイズのプラスチック製パレットを使用する必要がある場合、相応の金型で製造する必要があるが、金型の費用は非常に高い。このほか、パレットに物を置いた後、四方から包装するとき、板面が引き裂かれやすく、またパレットもぶつかって欠損を生じやすい。そのため、板面の割れでも、小さな角が欠けただけの破損でも、パレット全体を廃棄しなければならず、使用を継続できない。このため、コストが低く、修理しやすいパレットをいかに製造するかということは、本分野の技術者が解決を期待している課題である。
【発明の概要】
【発明が解決しようとする課題】
【０００４】
上述の問題に鑑み、本発明の目的は、組立ての利便性と効率を増進させ、修理コストを抑制できる、組立式パレットを提供することにある。
【課題を解決するための手段】
【０００５】
本発明の組立式パレットは、パレットフレームと、前記パレットフレームの隅角箇所に配置された複数の第１ベース座体と、２つの前記第１ベース座体の間にそれぞれ配置された複数の第２ベース座体と、前記パレットフレーム上に固定されたデッキボード部とを含み、前記パレットフレームが複数の縦棒と複数の横棒を含み、前記複数の縦棒と前記複数の横棒はそれぞれ階段状位置決め部を備え、前記各第１ベース座体が、第１上面、第１底面、複数の第１側面を含む第１ベース座体本体と、前記第１ベース座体本体の前記第１上面と２つの前記第１側面との間に配置された複数の第１階段状結合部を含み、前記複数の第１側面が前記第１上面と前記第１底面とに連接され、前記複数の第１階段状結合部が相互に連接され、かつ１つの前記縦棒の前記階段状位置決め部と１つの前記横棒の前記階段状位置決め部との位置が合うようにそれらをガイドし、前記縦棒と前記横棒とを前記第１ベース座体本体上に結合させ、前記各第２ベース座体が、第２上面、第２底面、複数の第２側面を含む第２ベース座体本体と、前記第２ベース座体本体の前記第２上面と１つの前記第２側面との間に配置された第２階段状結合部を含み、前記複数の第２側面が前記第２上面と前記第２底面とに連接され、前記第２階段状結合部が１つの前記縦棒の前記階段状位置決め部または１つの前記横棒の前記階段状位置決め部の位置が合うようにそれらをガイドし、前記縦棒または前記横棒を前記第２ベース座体本体上に結合させ、前記デッキボード部に前記パレットフレーム、前記複数の第１ベース座体の前記複数の第１上面と前記複数の第２ベース座体の前記複数の第２上面とが密着される。
【発明の効果】
【０００６】
本発明は、階段状構造の設計により、組立て時は縦棒と横棒の位置が合うようにそれらをガイドし、縦棒と横棒をベース座体上に結合させることができる。即ち、先に縦棒と横棒でパレットフレームを構成し、階段状構造の設計でパレットフレームの位置を合わせガイドして、ベース座体に結合させることができる。また、先に階段状構造設計で縦棒と横棒の位置が合うようにガイドして、ベース座体に結合させてから、縦棒と横棒でパレットフレームを構成することもできる。これにより、階段状構造設計を組立てのポカよけ設計として、組立て時に歪みや突出を生じることがなく、組立ての利便性と効率を増進することができる。このほか、一部の構成部材が破損したとき、破損した構成部材のみを取り外して交換できるため、効果的に修理の手間を省き、修理コストを抑制することができる。
【図面の簡単な説明】
【０００７】
【図１】本発明の実施例１の部分分解図である。
【図２】本発明の実施例１のパレットフレームの立体図である。
【図３Ａ】本発明の実施例１の第１ベース座体とパレットフレームの組み立てを示す立体図である。
【図３Ｂ】本発明の実施例１の縦棒と横棒の別の組み立て態様を示す立体図である。
【図４】本発明の実施例１の第１ベース座体とパレットフレームの組立てを示す立体外観図である。
【図５】本発明の実施例１の第２ベース座体とパレットフレームの組立てを示す立体分解図である。
【図６】本発明の実施例１の第２ベース座体とパレットフレームの組立てを示す立体外観図である。
【図７】本発明の実施例２の立体外観図である。
【図８】本発明の実施例２の別の立体外観図である。
【図９】本発明の実施例２のパレットフレームの立体図である。
【図１０】本発明の実施例２の別のパレットフレームの結合態様を示す立体分解図である。
【図１１】本発明の実施例２の第１ベース座体とパレットフレームの組立てを示す立体分解図である。
【図１２】本発明の実施例２の第１ベース座体とパレットフレームの組立てを示す立体外観図である。
【図１３】本発明の実施例２の第２ベース座体とパレットフレームの組立てを示す立体分解図である。
【図１４】本発明の実施例２の第２ベース座体とパレットフレームの組立てを示す立体外観図である。
【図１５】本発明の実施例２の別の第２ベース座体とパレットフレームの組立て態様を示す立体分解図である。
【図１６】本発明の実施例２の別の第２ベース座体とパレットフレームの組立て態様を示す立体外観図である。
【図１７】本発明の実施例３のパレットフレームの立体外観図である。
【図１８】本発明の実施例３の中央座体と斜め棒の立体分解図である。
【図１９】本発明の実施例３の中央座体と斜め棒の結合を示す立体外観図である。
【図２０】本発明の実施例３の中央座体の実施態様を示す外観図１である。
【図２１】本発明の実施例３の中央座体の実施態様を示す外観図２である。
【図２２】本発明の実施例３のデッキボード部の実施態様を示す外観図の実施態様を示す外観図である。
【図２３】本発明の実施例４の部分分解図である。
【図２４】本発明の実施例４の中央座体の立体外観図である。
【図２５】本発明の実施例４の第２ベース座体の立体外観図である。
【図２６】本発明の実施例４の第１ベース座体の立体外観図である。
【図２７】本発明の実施例４の平面図１である。
【図２８】本発明の実施例４の平面図２である。
【図２９】本発明の実施例４の第１ベース座体と斜め棒の拡大図である。
【図３０】本発明の実施例４の保護ストリップ構造を備えた組立式パレットの外観図である。
【発明を実施するための形態】
【実施例１】
【０００８】
図１の本発明の立体外観図を参照する。本実施例において、組立式パレット１は、主にパレットフレーム２、複数の第１ベース座体３、複数の第２ベース座体４、デッキボード部６から構成することができる。
【０００９】
図２の本発明のパレットフレームの立体外観図を参照する。パレットフレーム２は、主に複数の縦棒２１と複数の横棒２２とで構成され、そのうち、縦棒２１と横棒２２は中空の管状とすることができるが、これに限らない。ここで、縦棒２１と横棒２２はそれぞれ階段状位置決め部２１１、２２１を備え、かつ階段状位置決め部２１１、２２１は１つまたは２つ以上の階段状構造を備えている。図２と図３Ａに示すものは２段の階段状構造であり、図１１に示すものは１段の階段状構造である。
【００１０】
図１と図３Ａに示すように、複数の第１ベース座体３はパレットフレーム２の隅角箇所に配置され、各第１ベース座体３は主に第１ベース座体本体３１と複数の第１階段状結合部３２とから構成される。そのうち、前記第１ベース座体本体３１は第１上面３１１、第１底面３１２、複数の第１側面３１３から構成され、前記複数の第１側面３１３が前記第１上面３１１と第１底面３１２に連接される。前記複数の第１階段状結合部３２は、第１ベース座体本体３１の第１上面３１１と２つの第１側面３１３との間に位置する。複数の第１階段状結合部３２は、相互に連接されてＬ字形に配列され、かつ１つの縦棒２１の階段状位置決め部２１１と１つの横棒２２の階段状位置決め部２２１との位置が合うようにガイドし、縦棒２１と横棒２２を第１ベース座体本体３１上に結合させる。つまり、縦棒２１または横棒２２のどちらでも、第１階段状結合部３２にガイドされて、第１ベース座体本体３１に位置が合う。そのため、図４に示すように、組立て時に歪んだり、第１上面３１１に突出したりすることがなく、組立て作業者が縦棒２１と横棒２２の位置を調整する必要がなく、縦棒２１と横棒２２の上面と第１上面３１１で実質的に平坦な面を構成でき、これにより組立てのポカよけという目的を達することができる。
【００１１】
本実施例において、第１階段状結合部３２の階段数は、階段状位置決め部２１１、２２１の階段数より多く、好ましくは第１階段状結合部３２の階段数が階段状位置決め部２１１、２２１の階段数より１つ多い。例えば図３Ａと図４に示すように、階段状位置決め部２１１、２２１の階段数が２段の階段状構造の場合、第１階段状結合部３２の階段数は３段の階段状構造とする。
【００１２】
図１と図５に示すように、複数の第２ベース座体４は２つの第１ベース座体３の間にそれぞれ位置し、各第２ベース座体４は主に第２ベース座体本体４１と第２階段状結合部４２とから構成される。そのうち、前記第２ベース座体の本体４１は第２上面４１１、第２底面４１２、複数の第２側面４１３を備え、複数の第２側面４１３が前記第２上面４１１と前記第２底面４１２に連接される。前記第２階段状結合部４２は、前記第２ベース座体の本体４１の第２上面４１１と１つの第２側面４１３との間に位置する。前記第２階段状結合部４２は、１つの縦棒２１の階段状位置決め部２１１または１つの横棒２２の階段状位置決め部２２１の位置が合うようにガイドして、縦棒２１または横棒２２を第２ベース座体の本体４１上に結合させる。その位置が合うようにガイドすることで、前述したように、また図６に示すように、縦棒２１と横棒２２の上端面と第２上面４１１が実質的に平坦な面を構成し、組立てのポカよけという目的を達することができる。
【００１３】
本実施例において、第２階段状結合部４２の階段数は、階段状位置決め部２１１、２２１の階段数より多く、好ましくは第２階段状結合部４２の階段数が階段状位置決め部２１１、２２１の階段数より１つ多い。例えば図５と図６に示すように、階段状位置決め部２１１（または階段状位置決め部２２１）の階段数が２段の階段状構造の場合、第２階段状結合部４２の階段数は３段の階段状構造とする。
【００１４】
デッキボード部６はパレットフレーム２上に固定され、その底面がパレットフレーム２の上面、第１ベース座体３の第１上面３１１及び第２ベース座体４の第２上面４１１に密着される。ここで、デッキボード部６は、単一の板体（図１参照）または複数の長方形の板体で構成（図２２参照）することができ、固定部材による螺着、接着剤による接着等の方式でパレットフレーム２上に固定される。かつ、その両端に概ね弧状を呈する弧状端部６１（図２２参照）がそれぞれ設けられ、弧状の設計により、鋭角の構造を排除して使用者が怪我をしないようにする。
【００１５】
図１に示すように、階段状構造の設計により、組立て時は縦棒２１と横棒２２の位置が合うようにガイドして、縦棒２１と横棒２２を第１ベース座体３と第２ベース座体４上に結合させることができる。即ち、先に縦棒２１と横棒２２でパレットフレーム２を構成し、階段状構造の設計でパレットフレーム２と位置が合うようにガイドし、第１ベース座体３と第２ベース座体４を結合してもよい。また、先に階段状構造の設計で縦棒２１と横棒２２の位置が合うようにガイドして、第１ベース座体３および第２ベース座体４と結合させてから、縦棒２１と横棒２２でパレットフレーム２を構成してもよい。
【実施例２】
【００１６】
図７、図８、図９を参照する。図７に本発明の別の態様の立体外観図１、図８に本発明別の態様の立体外観図２、図９に本発明の別の態様のパレットフレームの立体外観図をそれぞれ示す。この態様は、縦棒２１と横棒２２が階段状位置決め部２１１、２２１をそれぞれ備え、かつ階段状位置決め部２１１、２２１が１つの階段の階段状構造を備えている（図１１参照）。
【００１７】
本実施態様において、第１階段状結合部３２の階段数は、階段状位置決め部２１１、２２１の階段数より多く、好ましくは第１階段状結合部３２の階段数が階段状位置決め部２１１、２２１の階段数より１つ多い。例えば図１１と図１２に示すように、第１階段状結合部３２の階段数が２段の階段状構造の場合、第２階段状結合部４２の階段数は２段の階段状構造とする。
【００１８】
図１と図２に示すように、パレットフレーム２はさらに複数の底部支持棒２３と複数の連結棒２４とが設けられてもよい。それぞれ縦棒２１と底部支持棒２３が連接される、または横棒２２と底部支持棒２３が連接される。かつ、図３Ａおよび図４に示すように、第１ベース座体３はさらに第１底面３１２に位置する第１位置決め溝３３が設けられ、図５と図６に示すように、第２ベース座体４はさらに第２底面４１２に位置する第２位置決め溝４３が設けられる。そのうち、一部の数量の底部支持棒２３が２つの前記第１位置決め溝３３に嵌合されて、２つの第１ベース座体３が位置決めされ、別の一部の数量の底部支持棒２３が２つの前記第２位置決め溝４３に嵌合されて、２つの第２ベース座体４が位置決めされる。図３Ａと図４に示すように、第１ベース座体３にはさらに第１側面３１３に位置する第１連結溝３４が設けられる。これは、連結棒２４を嵌合するために用いられ、連結棒２４と第１側面３１３に実質的に平坦な面を構成させる。そのうち前記第１連結溝３４は、１つの第１階段状結合部３２と第１位置決め溝３３とに連接される。図５と図６に示すように、第２ベース座体４にはさらに第２側面４１３に位置する第２連結溝４４が設けられる。これは、連結棒２４を嵌合するために用いられ、連結棒２４と第２側面４１３に実質的に平坦な面を構成させる。そのうち第２連結溝４４は、第２階段状結合部４２と第２位置決め溝４３とに連接される。このほか、さらに、図１５と図１６に示すように、第２階段状結合部４２は第２上面４１１の略中央箇所に位置し、第２連結溝４４は第２階段状結合部４２の内側面に位置して第２底面４１２まで貫通され、縦棒２１及び連結棒２４がそれぞれ挿入される。かつこの方式はさらに第１ベース座体３上にも適用することができる。
【００１９】
図９と図１０に示すように、パレットフレーム２の縦棒２１と横棒２２は１つの階段を備えた階段状位置決め部２１１、２２１をそれぞれ備え、かつパレットフレーム２はさらに複数の底部支持棒２３と複数の連結棒２４とを設けることができる。これは前述のとおりであるため、ここでは説明を省略する。
【００２０】
図２と図９に示すように、パレットフレーム２はさらに複数の強化棒２６を設け、複数の縦棒２１に連接する、または複数の横棒２２に連接することができる。好ましくは、そのうち１つの強化棒２６が複数の縦棒２１に連接され、隣接する強化棒２６が複数の横棒２２に連接される。つまり、隣接する２つの強化棒２６が相互に垂直に設置される。例えば図２と図９に示すパレットフレーム２の右上部分の強化棒２６は複数の横棒２２に縦方向に連接され、左上部分と右下部分の強化棒２６は複数の縦棒２１に横方向に連接されている。強化棒２６を互い違いに配列する方式により、パレットフレーム２の全体的強度を効果的に高めることができる。
【００２１】
図３Ａに示すように、横棒２２の階段状位置決め部２２１の一端が延伸されて凸部２２２が形成され、縦棒２１の階段状位置決め部２１１に嵌入されて、縦棒２１と横棒２２とが結合される。凸部を相互に嵌合する設計により、縦棒２１と横棒２２の結合をより強固にすることができる。凸部の相互嵌合は、その他の変更が可能であり、例えば図３Ｂに示すように、縦棒２１の階段状位置決め部２１１の一端が延伸されて凸部２１２が形成され、横棒２２の階段状位置決め部２２１に嵌入されて、縦棒２１と横棒２２とが結合される。
【実施例３】
【００２２】
さらに図１７、図１８、図１９に示すように、本実施例において、組立式パレット１はさらに中央座体５を含み、その全体はプラスチック射出成型の構造体、またはプラスチックと木屑を混合した射出成型の構造体とすることができる。本実施例において、中央座体５は多辺形体（正方形体、長方形体など）であるが、円形、楕円形または不規則の形状としてもよく、本発明はこれに限定されない。複数の第１ベース座体３、複数の第２ベース座体４は、中央座体５を中心として中央座体５の側辺に配列される。
【００２３】
中央座体５はさらに中央座体本体５１と、互いに交差して配列された複数の中央位置決め溝５２とを含み、複数の中央位置決め溝５２は中央座体本体５１の中心から対称に交差して配列される。即ち、中央位置決め溝５２は複数の中央溝部５３を含み、複数の中央溝部５３が相互に連通し、かつ中央座体本体５１の中心を通って十字形の態様を呈する。
【００２４】
中央座体５はさらに複数の中央対角方向溝部５４を含み、複数の中央対角方向溝部５４は中央座体本体５１の上面に凹設される。本実施例において、中央座体５は、具体的には４つの中央対角方向溝部５４を備え、中央座体本体５１の４つの角部の位置にそれぞれ配置されている。各中央対角方向溝部５４は、中央座体本体５１の中心方向に向かって延伸され、かつ相互に連通していない。本発明はこれに限定されず、中央対角方向溝部５４は、中央座体本体５１の中心方向に向かって延伸され、相互に連通してもよい。このほか、さらに、中央座体５上に４つの中央対角方向溝部５４を設置しない使用方式としてもよい（図２０参照）。
【００２５】
図１７、図１８に示すように、このほか、複数の中央溝部５３と複数の中央対角方向溝部５４は交互に配置され、米字形の態様を呈する。これに基づき、各中央対角方向溝部５４と各中央溝部５３は相互に連通してもよい。かつ、各第１ベース座体３はさらに対角方向結合部３９を含み、対角方向結合部３９は凹溝の構造を形成し、第１上面３１１に位置する。各対角方向結合部３９は、各中央対角方向溝部５４にそれぞれ対応する。パレットフレーム２はさらに複数の斜め棒２９を含み、各斜め棒２９は前述の平行と垂直に配列された縦棒２１と横棒２２の間に位置する。これに基づき、各斜め棒２９は両端が各対角方向結合部３９と各中央対角方向溝部５４に配置され、パレットフレーム２全体が複数の第１ベース座体３、複数の第２ベース座体４及び中央座体５上でしっかりと固定される。このほか、各対角方向結合部３９及び各中央対角方向溝部５４の溝状の構造は口が広く中心が狭い構造を呈し、組立式パレット全体が横方向と縦方向及び対角方向の３つの方向すべてでサイズを調整できるようにされている（図２４と図２６参照）。
【００２６】
このほか、中央座体５、各第１ベース座体３、各第２ベース座体４はさらに複数の位置決め挿入孔３５／４５／５５を含み、各位置決め挿入孔３５／４５／５５は中央位置決め溝５２、複数の第１階段状結合部３２、第２階段状結合部４２内にそれぞれ位置する。縦棒２１、横棒２２、斜め棒２９は、突出した構造を呈する位置決め部２１４／２２４／２９４（図１８、図１９、図２１参照）を備える。各位置決め部２１４／２２４／２９４は各位置決め挿入孔３５／４５／５５内にそれぞれ挿入され、パレットフレーム２が複数の第１ベース座体３、複数の第２ベース座体４及び中央座体５上でしっかりと固定される。
【実施例４】
【００２７】
さらに図２３、図２４、図２６に本発明の実施例４の外観図を示す。本実施例と前述の実施例の違いは、中央座体５と第１ベース座体３が概ね８の字形（瓢箪の形状）の対角方向溝部構造を備えている点である。ここで、中央座体５の各中央対角方向溝部５４は、外側からベース座体の中心方向に向かって形成された、中央外部拡張部５４１、中央連結部５４２及び中央内部拡張部５４３を含み、全体を見ると、中央対角方向溝部５４は俯瞰で見たとき概ね８の字形（瓢箪の形状）である。つまり、中央対角方向溝部５４の中央連結部５４２は中間が徐々に窄まった部分であり、その幅が両端の中央外部拡張部５４１と中央内部拡張部５４３の幅より小さい。中央外部拡張部５４１は、実際には中央内部拡張部５４３の幅と同じまたはより小さくすることができる。このほか、中央外部拡張部５４１は開放の形態を呈し、外部の棒体を中央外部拡張部５４１から中央対角方向溝部５４中に挿入するために供することができる。
【００２８】
図２３と図２６に示すように、各第１ベース座体３の対角方向結合部３９は、外側からベース座体の中心方向に向かって形成された、結合部外部拡張部３９１、結合部連結部３９２及び結合部内部拡張部３９３を含む。ここで、結合部外部拡張部３９１、結合部連結部３９２及び結合部内部拡張部３９３は、前述の中央外部拡張部５４１、中央連結部５４２及び中央内部拡張部５４３と同じであるため、ここでは説明を省略する。
【００２９】
図２３、図２４、図２６に示すように、組立て時は、斜め棒２９の一端を中央外部拡張部５４１に穿通して中央対角方向溝部５４内に挿入し、中央連結部５４２により斜め棒２９を保持して、斜め棒２９が中央連結部５４２を中心とし、中央外部拡張部５４１と中央内部拡張部５４３の空間内で回動できるようにする。斜め棒２９の他端を結合部外部拡張部３９１に穿通して対角方向結合部３９に挿入し、結合部連結部３９２により斜め棒２９を保持して、斜め棒２９が結合部連結部３９２を中心とし、結合部外部拡張部３９１と結合部内部拡張部３９３の空間内で回動できるようにする（図２９参照）。斜め棒２９と縦棒２１の間の挟角は、θ１からθ１’に変化する。
【００３０】
図２３から図２８に示すように、斜め棒２９が中央対角方向溝部５４と対角方向結合部３９内で回動し、斜め棒２９と縦棒２１（または横棒２２）との間の挟角角度に、異なる寸法または方形、長形等異なる形状のパレットフレーム２を構成させることができる。この部分についてさらに図面を参照しながら以下のように説明する。図２４と図２７に示すように、組立式パレット１の全体長さＬ１（すなわち縦方向の２つの第１ベース座体３の相対する外側の距離）と全体幅Ｌ２（すなわち横方向の２つの第１ベース座体３の相対する外側の距離）が同じであり、例えば組立式パレット１の全体長さＬ１と全体幅Ｌ２が１１００ｃｍであるとき、斜め棒２９、縦棒２１と横棒２２の相互間の挟角θ１は４５度、挟角θ２は９０度、挟角θ３は４５度である。このとき、斜め棒２９の両端はそれぞれ結合部連結部３９２と中央連結部５４２により挟持される。図２４と図２８に示すように、パレットの全体長さＬ１’（つまり縦方向の２つの第１ベース座体３の相対する外側の距離）が１０００ｃｍであり、全体幅Ｌ２’（つまり横方向の２つの第１ベース座体３の相対する外側の距離）が１２００ｃｍであるとき、斜め棒２９、縦棒２１と横棒２２の相互間の挟角θ１’は５２度、挟角θ２’は９０度、挟角θ３’は３８度である。このとき、図２７の組立式パレット１全体及びその挟角θ１と挟角θ３の角度は図２８の組立式パレット１全体及びその挟角θ１’と挟角θ３’の角度とそれぞれ異なるが、斜め棒２９の両端はやはりそれぞれ結合部連結部３９２と中央連結部５４２に挟持させることができる。つまり、中央外部拡張部５４１及び中央内部拡張部５４３を利用して斜め棒２９の一端の角度を変えた後も、中央連結部５４２により斜め棒２９を挟持することができ、斜め棒２９の他端も結合部外部拡張部３９１及び結合部内部拡張部３９３中で角度を変えた後も、結合部連結部３９２により斜め棒２９を挟持することができる。このため、パレットフレーム２の寸法が変化しても、またはパレットフレーム２の形状が方形または長形であっても、同じ中央座体５と第１ベース座体３を適用（共用）することができる。
【００３１】
このほか、図３０に示すように、各ベース座体には保護ストリップ構造を設置してもよく、第１ベース座体３、第２ベース座体４の一側面に保護ストリップ７Ａを延伸することができる。そのうち、保護ストリップ７Ａは、突出構造であり、外部の衝撃を緩衝するとともに、パレットフレーム２を位置決めするために用いることができる。
【００３２】
図１１、図１３、図１４に示すように、特に説明すべきは、縦棒２１と横棒２２上に連結棒２４のみを連結して使用したり、あるいは位置決め部２１４／２２４のみを設置して使用したり（図２１参照）、または連結棒２４と位置決め部２１４／２２４を一緒に組み合わせて使用したりすることもできる点である。縦棒２１と横棒２２上に連結棒２４のみを設置して使用する例をみると、縦棒２１と横棒２２と第１ベース座体３を相互に連結して組立て、安定した状態で固定して位置決めする作用を備えることができる。この状況では、位置決め部２１４／２２４の構造設置を省略し、構造コストを抑えることができる。このほか、縦棒２１と横棒２２上に溶接する複数の連結棒２４の使用時は、各連結棒２４は縦棒２１と横棒２２上の任意の位置に設置することができる。例えば図１１、図１３図に示すように、各連結棒２４は縦棒２１と横棒２２の底面の二端と中央位置に溶接固定されているが、これに限らず、一部の実施態様において、各連結棒２４は縦棒２１と横棒２２の側辺に溶接固定される。各第１連結溝３４及び第２連結溝４４の位置と各連結棒２４の位置が相互に対応し、各連結棒２４を第１連結溝３４及び第２連結溝４４に挿入して支持作用を提供することができる。
【００３３】
本発明は、階段状構造の設計により、組立て時は縦棒と横棒の位置が合うようにそれらをガイドし、縦棒と横棒をベース座体上に結合させることができる。即ち、先に縦棒と横棒でパレットフレームを構成し、階段状構造の設計でパレットフレームの位置を合わせガイドして、ベース座体に結合させることができる。また、先に階段状構造設計で縦棒と横棒の位置が合うようにガイドして、ベース座体に結合させてから、縦棒と横棒でパレットフレームを構成することもできる。これにより、階段状構造設計を組立てのポカよけ設計として、組立て時に歪みや突出を生じることがなく、組立ての利便性と効率を増進することができる。このほか、一部の構成部材が破損したとき、破損した構成部材のみを取り外して交換できるため、効果的に修理の手間を省き、修理コストを抑制することができる。
【００３４】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００３５】
１                    組立式パレット
２                    パレットフレーム
２１                  縦棒
２１１                階段状位置決め部
２１２                凸部
２１４                位置決め部
２２                  横棒
２２１                階段状位置決め部
２２２                凸部
２２４                位置決め部
２３                  底部支持棒
２４                  連結棒
２６                  強化棒
２９                  斜め棒
２９４                位置決め部
３                    第１ベース座体
３１                  第１ベース座体本体
３１１                第１上面
３１２                第１底面
３１３                第１側面
３２                  第１階段状結合部
３３                  第１位置決め溝
３４                  第１連結溝
３５                  位置決め挿入孔
３９                  対角方向結合部
３９１                結合部外部拡張部
３９２                結合部連結部
３９３                結合部内部拡張部
４                    第２ベース座体
４１                  第２ベース座体本体
４１１                第２上面
４１２                第２底面
４１３                第２側面
４２                  第２階段状結合部
４３                  第２位置決め溝
４４                  第２連結溝
４５                  位置決め挿入孔
５                    中央座体
５１                  中央座体本体
５２                  中央位置決め溝
５３                  中央溝部
５４                  中央対角方向溝部
５４１                中央外部拡張部
５４２                中央連結部
５４３                中央内部拡張部
５５                  位置決め挿入孔
６                    デッキボード部
６１                  弧状端部
７Ａ                  保護ストリップ
【図１】
2017057010.tif 000003
【図２】
2017057010.tif 000004
【図３Ａ】
2017057010.tif 000005
【図３Ｂ】
2017057010.tif 000006
【図４】
2017057010.tif 000007
【図５】
2017057010.tif 000008
【図６】
2017057010.tif 000009
【図７】
2017057010.tif 000010
【図８】
2017057010.tif 000011
【図９】
2017057010.tif 000012
【図１０】
2017057010.tif 000013
【図１１】
2017057010.tif 000014
【図１２】
2017057010.tif 000015
【図１３】
2017057010.tif 000016
【図１４】
2017057010.tif 000017
【図１５】
2017057010.tif 000018
【図１６】
2017057010.tif 000019
【図１７】
2017057010.tif 000020
【図１８】
2017057010.tif 000021
【図１９】
2017057010.tif 000022
【図２０】
2017057010.tif 000023
【図２１】
2017057010.tif 000024
【図２２】
2017057010.tif 000025
【図２３】
2017057010.tif 000026
【図２４】
2017057010.tif 000027
【図２５】
2017057010.tif 000028
【図２６】
2017057010.tif 000029
【図２７】
2017057010.tif 000030
【図２８】
2017057010.tif 000031
【図２９】
2017057010.tif 000032
【図３０】
2017057010.tif 000033